(57)【特許請求の範囲】
【請求項１】
錘と、
０時の位置及び３時の位置に前記錘より一回り大きい穴を開けた仕切り板と、
前記仕切り板を貫通する中心軸と、
前記仕切り板の一方の側に設けられ、前記中心軸から放射状に延びており、先端にバネ止めが設けられた複数のパイプと、
一端に錘受けが接続され、他端が前記パイプに挿入された複数のポールと、
前記バネ止めと前記錘受けとの間に設けられた複数のバネと、
前記仕切り板の他方の側に設けられ、前記中心軸と共に回転する円盤と、
前記仕切り板の前記一方の側に設けられ、前記０時の位置の穴を通して前記錘を前記一方の側から前記他方の側へ移動させるガイドと、
前記仕切り板の前記他方の側に設けられ、前記０時の位置の穴から前記３時の位置の穴まで前記錘をガイドするガイド板と、
前記仕切り板の前記他方の側に設けられ、前記３時の位置の穴を通して前記錘を前記他方の側から前記一方の側へ移動させるガイドと、
前記円盤に設けられ、前記ガイド板上をガイドされる前記錘によりトルクが与えられる受け板と、
を備える装置。
【発明の詳細な説明】
【技術分野】
【０００１】  本発明は、安価で安全なエネルギーの安定供給を目的としたものであり、普遍的に存在する自然エネルギーである重力エネルギーを運動エネルギーへ変換させる装置の開発に関するものである。
重力エネルギーを運動エネルギーへ変換させることにより、現代社会において最も重要である電気エネルギーを、永久に供給させることができる。
【背景技術】
【０００２】  従来、電気エネルギーを得るためには、火力発電及び原子力発電並びに再生可能エネルギーとして、水力発電、風力発電、洋上風力発電、潮力発電、地熱発電、太陽熱発電及び太陽光発電がある。【０００３】  火力発電には、二酸化炭素に起因する気候変動問題があり、原子力発電には、福島第一原子力発電所の事故等に代表されるとおり、放射能汚染問題及び使用済み燃料棒の最終処分問題がある。
また、化石燃料を輸入に頼る少資源国家、地震及び津波の多発する地震国家、唯一の原爆被爆国家である日本にとっては、再生可能エネルギーの更なる開発普及が喫緊の課題となっている。【０００４】  しかしながら、現在の再生可能エネルギー装置は、地理的位置や天候及び時間に影響され、安定した電力の供給を維持することは難しい。また、これらの再生可能エネルギー発生装置は、周辺環境を悪化させる懸念がある。
資源の少ない日本にとって、エネルギー自給率を上げることは、食料自給率を上げることと同じ最重要課題となっている。
環境に配慮した再生可能エネルギーによる安定した電力供給システムの新たな開発が期待されているところである。
【先行技術文献】
【特許文献】
【発明の概要】
【発明が解決しようとする課題】
【０００５】  本発明は、従来の再生可能エネルギーが有していた「不安定供給」及び「環境悪化の恐れ」と言った課題を解決しようとするもので、自然界に普遍的に存在する重力エネルギー及びその重力エネルギーの作用におけるバネの内部エネルギーを利用するものであり、それらのエネルギーを運動エネルギーへと変換させる装置である。
重力エネルギーを運動エネルギーへと変換させることにより、現代社会において最も利用価値の高い電気エネルギーを、地球上のあらゆる場所において、安価で永久に安定供給し続けることが可能となる。
エネルギー自給率を増大させることにより、食料自給率の増にも貢献でき、２１世紀における世界的な課題である水問題についても、解決へ向け、貢献できるものと思われる。
また、戦争の原因の一つである貧困を無くすためにも、本発明は重要なものである。
【課題を解決するための手段】
【０００６】  この課題を解決するための手段として、重力エネルギーとその影響下にあるバネに蓄積された内部エネルギーを利用する。
錘受け４と同等の重量の錘２に作用する重力エネルギーにより、一定の時間で蓄積されたバネ１の内部エネルギーは、錘２を錘受け４から移動させた瞬間、その間蓄積したエネルギーを外部へと発散することになる。
本発明は、この発散されたバネ１の内部エネルギーを利用し、運動エネルギーを得ようとするものである。
なお、錘受け４の位置エネルギーは変化するものの、錘２の位置エネルギーはかわらない仕組みとなっている。
図１及び図２にて説明する。左右の系において、０時の位置で錘２を錘受け４上から横移動させた場合、錘２の位置エネルギーの変化はないものの、錘２及び錘受け４の重力の作用により蓄積されたバネ１の内部エネルギーは、錘２の影響がなくなったことにより、蓄積された内部エネルギーは解放され、そのエネルギーの外部への発散により、錘受け４の位置エネルギーは大きく変化する。
この位置エネルギーの相違により、中心軸１０に対するモーメントの違いが生じ、それにより本装置は永久に回り続けることになる。
【発明の効果】
【０００７】  本発明は、重力エネルギーの作用により生じるバネの内部エネルギーを位置エネルギーへ変換し、その位置エネルギーの差を運動エネルギーへと変換するものであり、地球上でのあらゆる場所において天候や時間の影響を受けることなく、安全で安価な運動エネルギーを永久に安定供給し続けることができる。
なお、本発明は、重力及びバネの伸縮等、自然法則を利用したものであり、バネの一定時間に亘り得た内部エネルギーを、瞬時に解放させることにより、位置エネルギーを増大させ、その増加分を運動エネルギーへと変換させる装置であり、巷間伝わる永久機関ではない。
また、重力により得られたエネルギーをバネ内部へ蓄積し、位置エネルギーへと変換させ、その差を運動エネルギーとして得るだけのものであり、エネルギー保存の法則にも抵触しない。
【図面の簡単な説明】
【０００８】
【図１】円盤８と同じ回転をする中心軸１０に、バネ１、錘受け４、ポール５、パイプ６、バネ止め７を取り付けた関係図である。なお、ガイド板３は、この図には表示していないが仕切り板１１に取り付けてあり固定されている。また、点線表記の錘２については、９時の位置から０時の位置までは錘受け４上にあるものの、０時の位置から３時の位置までは、仕切り板１１の円盤８側にあるため表記していない。
【図２】仕切り板１１側から見た円盤８の正面図である。なお、ガイド板３は、図１と同じ仕切り板１１に取り付けてあり固定されている。
【図３】錘受け４及び円盤８側におけるガイド板３、受け板９並びに仕切り板１１の側面図である。
【図４】錘受け４側から見た仕切り板１１の正面図である。この仕切り板１１には、ガイド板３、ガイド１２、ガイド１４及びガイド１５を取り付ける。なお、中心軸１０部分には中心軸１０の回転に支障をきたさない様、中心軸１０よりも一回り大きな穴を開けている。
【図５】円盤８側から見た仕切り板１１の正面図である。この仕切り板１１には、ガイド板３及びガイド１３を取り付ける。
【図６】バネ１及びポール５に接続された錘受け４と仕切り板１１及びガイド板３並びにガイド１４との関係図である。
【発明を実施するための形態】
【０００９】  以下、本発明の実施の形態について説明する。
図１は、中心軸１０へ放射状に取り付けたパイプ６及びパイプ６に取り付けたバネ止め７と、パイプ６より一回り小さいポール５をパイプ６内に挿入し、ポール５に取り付けた錘受け４とバネ止め７の間にバネ１を設置したものであり、錘２が図１Ａ部分にある場合、錘２＋錘受け４をガイド板３上に沿って回転させるための図である。
【００１０】  錘２＋錘受け４が０時の位置へきた時点において、錘２を、仕切り板１１の穴部分に取り付けたガイド１２等により円盤８側へ移動させる。
当然ではあるが、ガイド板３、ガイド１２、ガイド１３、ガイド１４、ガイド１５も仕切り板１１に取り付けてあり、回転することはない。
錘２を移動させたことにより、図１Ａ部分（９時から０時の位置）において蓄積された錘２及び錘受け４によるバネ１への内部エネルギーは解放されることになり、バネ１は錘２＋錘受け４の重さによる縮みから錘受け４の重さによる縮みまで伸びることになる。
錘受け４は、その解放されたエネルギー、即ちバネ１における内部エネルギーの一部を位置エネルギーとして得ることができ、錘受け４と一体化されたポール５及びパイプ６は、中心軸１０を中心に、位置エネルギーが増大した状態で図１Ｂ部分（０時から３時の位置）を回転する。
【００１１】  ０時の位置において円盤８側へ移動した錘２は、図２Ｂ部分のガイド板３上を、円盤８へ取り付けた受け板９へトルクを与えながら円盤８と共に回転する。このことは図１及び図２のＡ部分とＢ部分とにおいて、錘受け４の位置エネルギーは大きく変わるものの、錘２の位置エネルギーは殆ど変わらない状態になることを意味する。
【００１２】  図１及び図２のＡ部分とＢ部分における錘受け４の位置エネルギーの異なる状態を生じさせることにより、その位置エネルギーの違いによる中心軸１０に対する回転モーメントのバランスが崩れ、回転することになる。
【００１３】  円盤８側へ移動させた錘２は、仕切り板１１の３時の位置における穴部分に取り付けたガイド１３により錘受け４側へ移動させ、再び錘受け４上へと、元の状態に戻すことが必要となる。
なお、錘受け４から円盤８側へ、円盤８側から錘受け４側にある錘受け４上へと、錘２を特定の位置で移動させる役目を、仕切り板１１に設置したガイド１２及びガイド１３に負わせることとなる。
【００１４】  図４及び図５は、錘受け４と円盤８の間に挿入した仕切り板１１にガイド１２及び、１３並びにガイド板３を設置した正面図である。
錘２を指定された範囲にて移動させるには、錘受け４側と円盤８側の間に錘２より一回り以上大きい穴を開けた仕切り板１１を差し込むことが必要となる。
【００１５】  これらのことが一体的に行われた時、錘受け４の位置エネルギーの異なる状態を生じさせることができ、この異なる位置エネルギーの発生により、永久に運動エネルギーを得ることが出来る。
図１及び図２では、中心軸１０に取り付けた錘受け４、ポール５、パイプ６及びそれらと一体になった円盤８は時計回りに回転することになる。
【符号の説明】
【００１６】１        バネ
２        錘
３        ガイド板
４        錘２と同じ重量である錘受け
５        ポール
６        パイプ
７        バネ止め
８        円盤
９        受け板
１０      中心軸
１１      仕切り板
１２      ガイド
１３      ガイド
１４      ガイド
１５      ガイド
【図１】
0006168501.tif 000002
【図２】
0006168501.tif 000003
【図３】
0006168501.tif 000004
【図４】
0006168501.tif 000005
【図５】
0006168501.tif 000006
【図６】
0006168501.tif 000007